(57)【要約】【課題】解体を容易にすることを可能とする易解体取付構造を提供する。【解決手段】ツール差込用ガイド溝２７にツール３５を矢印Ｑの方向から差し込むと、ツール３５はツール差込用ガイド溝２７の奥の方へ案内される。そして、差し込んだツール３５を矢印Ｒで示すような引き起こすような方向に移動させると、ツール３５がツール差込用ガイド溝２７の斜面３３に当接し、梃子の原理による作用が生じるようになる。この後、梃子の原理による作用がベース２５を介してクリップ２６にまで及ぶと、それまで係止状態にあったクリップ２６に撓みが生じて係止状態が解除される。【選択図】図１
2008215446.tif 000002
【特許請求の範囲】
【請求項１】
係止部を有するクリップと、該クリップが一体化するベースとを有し、取付相手先に対して前記ベースを当接させる方向に移動させると前記係止部が前記取付相手先の穴に引っ掛かり係止状態が形成される取付固定部の易解体に係る構造において、
前記係止部の位置が変位する方向となる前記クリップにおける撓み方向に向かって延びるとともに前記取付相手先の取付面との間隔が次第に狭まるような斜面を有するツール差込用ガイド溝を、前記ベースに開口形成してなる構造とする
ことを特徴とする易解体取付構造。
【請求項２】
可撓性を有する係止羽根を支柱に形成してなるクリップと、該クリップの前記支柱が一体化するベースとを有し、取付相手先に対して前記ベースを当接させる方向に移動させると前記係止羽根の段付き係止部が前記取付相手先の穴に引っ掛かり係止状態が形成される取付固定部の易解体に係る構造において、
前記係止羽根の撓み方向に向かって延びるとともに前記取付相手先の取付面との間隔が次第に狭まるような斜面を有するツール差込用ガイド溝を、前記ベースに開口形成してなる構造とする
ことを特徴とする易解体取付構造。
【請求項３】
請求項２に記載の易解体取付構造において、
前記穴を介して前記取付面側に突出するように前記段付き係止部の先端を長く形成する
ことを特徴とする易解体取付構造。
【発明の詳細な説明】
【技術分野】
【０００１】
本発明は、クリップとベースとを有する取付固定部を取付相手先から容易に取り外して解体するための易解体取付構造に関する。
【背景技術】
【０００２】
例えば、ワイヤハーネスを自動車のパネル部材に取り付ける場合や、電気接続箱などの筐体をブラケットに取り付ける場合、或いは、コネクタハウジングを基板やパネル部材等に取り付ける場合などにクリップが用いられている。クリップは、構造が簡単であるという利点や、比較的強固に係止・固定をすることができるという利点を有している。以下、図３を参照しながらクリップやこの周辺の構造などの一例（例えば下記特許文献１参照）を簡単に説明する。
【０００３】
図３において、引用符号１はコネクタを構成するコネクタハウジングを示している。また、引用符号２は所定の厚みを有するプリント基板を示している。コネクタハウジング１には、プリント基板２に係止される取付固定部３が形成されている。この取付固定部３は、プリント基板２の取付面４に当接するようなベース５と、このベース５に一体化するクリップ６とを有している。プリント基板２には、円形に貫通する穴７が形成されている。
【０００４】
クリップ６は、この中央が軸方向に割れており、内側への撓みが許容されるような構造になっている。クリップ６は、プリント基板２の穴７に差し込まれて穴７の縁部に引っ掛かり、これによって係止状態が形成される一対の係止部８を有している。
【０００５】
取付固定部３は、ベース５がプリント基板２の取付面４に対してガタ付きなく当接し面接触するとともに、係止部８がプリント基板２の穴７の縁部に引っ掛かることによって、強固に取り付け固定されるようになっている。
【特許文献１】特開２００１−１６６１８２号公報
【発明の開示】
【発明が解決しようとする課題】
【０００６】
例えば解体のような、コネクタハウジング１をプリント基板２から取り外す必要性が生じた場合を考えると、プリント基板２の裏側に手を入れることができるようであれば、一対の係止部８を内側に撓ませて係止状態を解除することにより容易に解体をすることができることになる。仮にプリント基板２の裏側に手を入れることができないような場合であっても、プリント基板２の取付面４に対してベース５が若干浮き上がっているような状態で固定されていれば、棒状のツール９をベース５とプリント基板２との間に差し込んで強制的に係止状態を解除し解体することが可能になる。
【０００７】
しかしながら、取付固定部３は、図３に示す如くベース５がプリント基板２の取付面４に対してガタ付きなく当接するような状態で固定される構造であることから、棒状のツール９をベース５とプリント基板２との間に差し込むことは当然にできず、解体は極めて困難な作業になってしまうことになる。仮に先が細く平らな例えばマイナスドライバーのようなツール１０をベース５とプリント基板２との間に強制的に差し込むことができたとしても、ツール１０の先端の耐久性などを考えるとコスト高の可能性があり、好ましい対策とは言い切れないものがある。
【０００８】
尚、無理矢理の解体を行う場合では、例えば取付固定部３だけがプリント基板２に残ってしまうことがあり得る。つまり解体が不十分になることがあり得る。また、プリント基板２自体が大きく破損してしまうようなこともあり得る。
【０００９】
本発明は、上述した事情に鑑みてなされたもので、解体を容易にすることを可能とする易解体取付構造を提供することを課題とする。
【課題を解決するための手段】
【００１０】
上記課題を解決するためになされた請求項１記載の本発明の易解体取付構造は、係止部を有するクリップと、該クリップが一体化するベースとを有し、取付相手先に対して前記ベースを当接させる方向に移動させると前記係止部が前記取付相手先の穴に引っ掛かり係止状態が形成される取付固定部の易解体に係る構造において、前記係止部の位置が変位する方向となる前記クリップにおける撓み方向に向かって延びるとともに前記取付相手先の取付面との間隔が次第に狭まるような斜面を有するツール差込用ガイド溝を、前記ベースに開口形成してなる構造とすることを特徴としている。
【００１１】
また、上記課題を解決するためになされた請求項２記載の本発明の易解体取付構造は、可撓性を有する係止羽根を支柱に形成してなるクリップと、該クリップの前記支柱が一体化するベースとを有し、取付相手先に対して前記ベースを当接させる方向に移動させると前記係止羽根の段付き係止部が前記取付相手先の穴に引っ掛かり係止状態が形成される取付固定部の易解体に係る構造において、前記係止羽根の撓み方向に向かって延びるとともに前記取付相手先の取付面との間隔が次第に狭まるような斜面を有するツール差込用ガイド溝を、前記ベースに開口形成してなる構造とすることを特徴としている。
【００１２】
このような特徴を有する本発明によれば、ツール差込用ガイド溝にツールを差し込むと、ツールはツール差込用ガイド溝の奥の方へ案内される。そして、差し込んだツールを引き起こすような格好に移動させると、ツールがツール差込用ガイド溝の斜面に当接し、梃子の原理による作用が生じるようになる。この後、梃子の原理による作用がベースを介してクリップにまで及ぶと、それまで係止状態にあったクリップに撓みが生じて係止状態が解除される。係止状態が解除されればクリップが取付相手先の穴から抜けることから、これによって取付固定部の部分での解体が完了する。
【００１３】
クリップに関し、請求項１に記載のクリップは、例えばクリップ中央が軸方向に割れて内側への撓みが許容されるタイプのものであるものとする。一方、請求項２に記載のクリップは、係止羽根を有してこの係止羽根のみが撓むタイプのものであるものとする。これら二つのタイプについては、発明を実施するための最良の形態の欄で具体的に説明するものとする。
【００１４】
請求項３記載の本発明の易解体取付構造は、請求項２に記載の易解体取付構造において、前記穴を介して前記取付面側に突出するように前記段付き係止部の先端を長く形成することを特徴としている。
【００１５】
このような特徴を有する本発明によれば、梃子の原理によってベースの変形が進みツールを更に奥まで差し込めるような場合に、ツール先端で係止羽根の先端を押して係止羽根を撓ませるようにすれば、クリップの係止状態の解除がより容易に行えるようになる。
【発明の効果】
【００１６】
請求項１、２に記載された本発明によれば、それぞれ、ツール差込用ガイド溝に先ずツールをこの奥まで差し込み、次いで取付相手先の穴からクリップが抜けるまでツールを梃子の原理を用いて操作するだけで容易に解体を行うことができる。従って、従来よりも解体を容易に行うことができるという効果を奏する。また、請求項３に記載された本発明によれば、クリップの係止状態の解除を容易に行うことができるという効果を奏する。
【発明を実施するための最良の形態】
【００１７】
以下、図面を参照しながら説明する。図１は本発明の易解体取付構造の一実施の形態を示す図であり、（ａ）は斜視図、（ｂ）は要部断面図である。
【００１８】
図１において、引用符号２１はコネクタを構成するコネクタハウジングを示している。また、引用符号２２は所定の厚みを有するプリント基板（取付相手先）を示している。コネクタハウジング２１には、プリント基板２２に係止される取付固定部２３が形成されている。この取付固定部２３は、プリント基板２２の取付面２４に当接するようなベース２５と、このベース２５に一体化するクリップ２６とを有している。ベース２５には、本発明の要旨となるツール差込用ガイド溝２７が形成されている。プリント基板２２には、円形に貫通する穴２８が形成されている。
【００１９】
ベース２５は、コネクタハウジング２１を取り付け固定するために必要十分な強度を有するように形成されている。本形態でのベース２５は、平面視Ｕ字状となる形状に形成されている（一例であるものとする）。ベース２５は、平坦な上面２９と、プリント基板２２の取付面２４に面接触する下面３０と、一部曲面となる側面３１とを有している。側面３１の曲面部分には、ツール差込用ガイド溝２７が開口形成されている。
【００２０】
クリップ２６は、この中央が軸方向に割れており、矢印Ｐで示すような内側への撓みが許容される構造になっている。クリップ２６は、プリント基板２２の穴２８に差し込まれて穴２８の縁部に引っ掛かり、これによって係止状態が形成される一対の係止部３２を有している（係止部３２はアンダーカットとなる部分が穴２８の縁部に引っ掛かるようになっている）。
【００２１】
ツール差込用ガイド溝２７は、係止部３２の位置が変位する方向となるクリップ２６における撓み方向に向かって延びるとともに、プリント基板２２の取付面２４との間隔が次第に狭まるような斜面３３を有するように形成されている。ツール差込用ガイド溝２７の開口３４は、棒状のツール３５よりも大きく開口するように形成されている。ツール差込用ガイド溝２７の奥部分は、クリップ２６の基部近傍まで延びるように形成されている。ツール差込用ガイド溝２７は、ツール３５により生じる作用がクリップ２６にまで及ぶように、長さや斜面３３の傾斜角度等が設定されている。
【００２２】
上記構成において、ツール差込用ガイド溝２７にツール３５を矢印Ｑの方向から差し込むと、ツール３５はツール差込用ガイド溝２７の奥の方へ案内される。そして、差し込んだツール３５を矢印Ｒで示すような引き起こすような方向に移動させると、ツール３５がツール差込用ガイド溝２７の斜面３３に当接し、梃子の原理による作用が生じるようになる。
【００２３】
この後、梃子の原理による作用がベース２５を介してクリップ２６にまで及ぶと、それまで係止状態にあったクリップ２６に撓みが生じて係止状態が解除される。係止状態が解除されればクリップ２６がプリント基板２２の穴２８から抜けるようになることから、若しくは、ツール３５を操作しつつベース２５を手で持ち上げるようにすればクリップ２６が引き抜けるようになることから、クリップ２６の抜けた時点で取付固定部２３の部分での解体が完了する。
【００２４】
次に、図２を参照しながら本発明の易解体取付構造の他の一実施の形態を説明する。図２は他の一実施の形態を示す断面図である。
【００２５】
図２において、この形態ではクリップ４１の形状が上記形態のものと異なっている。具体的に説明する。取付固定部４２は、プリント基板４３（取付相手先）の取付面４４に当接するようなベース４５と、このベース４５に一体化するクリップ４１とを有している。ベース４５には、本発明の要旨となるツール差込用ガイド溝４６が形成されている。
【００２６】
ベース４５は、図示しないコネクタハウジングを取り付け固定するために必要十分な強度を有するように形成されている。本形態でのベース４５は、上記形態と同様、平面視Ｕ字状となる形状に形成されている（一例であるものとする）。ベース４５は、平坦な上面４７と、プリント基板４３の取付面４４に面接触する下面４８と、一部曲面となる側面４９とを有している。側面４９の曲面部分には、ツール差込用ガイド溝４６が開口形成されている。
【００２７】
クリップ４１は、この一端側がベース４５に一体化する支柱５０と、支柱５０の他端に連続する一対の係止羽根５１とを有している。係止羽根５１は、可撓性を有しており、矢印Ｐで示すような内側への撓みが許容される構造になっている。係止羽根５１には、プリント基板４３の穴５２に差し込まれて穴５２の縁部に引っ掛かり、これによって係止状態となる段付き係止部５３が形成されている。段付き係止部５３は、本形態において穴５２から突出するように先端が長く形成されている。また、段付き係止部５３の段部は、係止状態の解除をより容易に行うためをねらって若干傾斜する斜面５４を有するように形成されている。引用符号５５はクリップ４１を形成するために金型によって生じる型抜き部分を示している。
【００２８】
ツール差込用ガイド溝４６は、係止羽根５１の撓み方向に向かって延びるとともに、プリント基板４３の取付面４４との間隔が次第に狭まるような斜面５６を有するように形成されている。ツール差込用ガイド溝４６の開口５７は、棒状のツール３５よりも大きく開口するように形成されている。ツール差込用ガイド溝４６の奥部分は、型抜き部分５５の近傍まで延びるように形成されている。ツール差込用ガイド溝４６は、ツール３５により生じる作用がクリップ４１にまで及ぶように、長さや斜面５６の傾斜角度等が設定されている。
【００２９】
上記構成において、ツール差込用ガイド溝４６にツール３５を矢印Ｑの方向から差し込むと、ツール３５はツール差込用ガイド溝４６の奥の方へ案内される。そして、差し込んだツール３５を矢印Ｒで示すような引き起こすような方向に移動させると、ツール３５がツール差込用ガイド溝４６の斜面５６に当接し、梃子の原理による作用が生じるようになる。
【００３０】
この後、梃子の原理による作用がベース４５を介してクリップ４１にまで及ぶと、それまで係止状態にあったクリップ４１に撓みが生じて係止状態が解除される（ベース４５が変形しクリップ４１に撓みが生じている中、ツール３５を更に奥まで差し込めるような場合にあっては、ツール３５の先端で段付き係止部５３を押して係止状態を解除することも可能）。係止状態が解除されればクリップ４１がプリント基板４３の穴５２から抜けるようになることから、若しくは、ツール３５を操作しつつベース４５を手で持ち上げるようにすればクリップ４１が引き抜けるようになることから、クリップ４１の抜けた時点で取付固定部４２の部分での解体が完了する。
【００３１】
以上、図１及び図２を参照しながら説明してきたように、本発明によれば、ツール差込用ガイド溝に先ずツールをこの奥まで差し込み、次いで取付相手先の穴からクリップが抜けるまでツールを梃子の原理を用いて操作するだけで容易に解体を行うことができる構造である。従って、従来よりも解体を容易に行うことができるという効果を奏する。
【００３２】
その他、本発明は本発明の主旨を変えない範囲で種々変更実施可能なことは勿論である。
【００３３】
上記説明では、コネクタハウジングを基板に取り付ける場合の例を挙げて説明したが、これに限らず、例えば、ワイヤハーネスを自動車のパネル部材に取り付ける場合や、電気接続箱などの筐体をブラケットに取り付ける場合や、コネクタハウジングをパネル部材に取り付ける場合等にも適用することが可能であるものとする。
【００３４】
また、上記説明では、ツール差込用ガイド溝に斜面を形成していたが、これに限らず、梃子の原理における作用点となる他の形状にしても良いものとする。
【図面の簡単な説明】
【００３５】
【図１】本発明の易解体取付構造の一実施の形態を示す図であり、（ａ）は斜視図、（ｂ）は要部断面図である。
【図２】本発明の易解体取付構造の他の一実施の形態を示す断面図である。
【図３】従来の取付固定部に係るクリップやこの周辺構造などの一例を示す図であり、（ａ）は斜視図、（ｂ）は断面図である。
【符号の説明】
【００３６】
２１  コネクタハウジング
２２  プリント基板（取付相手先）
２３  取付固定部
２４  取付面
２５  ベース
２６  クリップ
２７  ツール差込用ガイド溝
２８  穴
２９  上面
３０  下面
３１  側面
３２  係止部
３３  斜面
３４  開口
３５  ツール
４１  クリップ
４２  取付固定部
４３  プリント基板（取付相手先）
４４  取付面
４５  ベース
４６  ツール差込用ガイド溝
４７  上面
４８  下面
４９  側面
５０  支柱
５１  係止羽根
５２  穴
５３  段付き係止部
５４  斜面
５５  型抜き部分
５６  斜面
５７  開口
【図１】
2008215446.tif 000003
【図２】
2008215446.tif 000004
【図３】
2008215446.tif 000005